(57)【要約】【課題】パーソナライズ化手書きフォントを動的に生成する方法を提供する。【解決手段】まず、入力インターフェースにより、それぞれ文字を記述する複数の筆書き筆跡を順次入力して、次に、これらの筆書き筆跡のそれぞれ記述された文字の筆画の入力インターフェースにおける相対位置を順次識別して、更に、各筆書き筆跡の入力インターフェースにおける相対位置に基づいて対応する文字のフォント特徴を決定して、そして、これらの対応する文字のフォント特徴により、パーソナライズ化フォント特徴を決定して、最後に、パーソナライズ化フォント特徴により新たなフォントファイルを生成するパーソナライズ化手書きフォントを動的に生成する方法。【選択図】図１Ｂ
2017078854.tif 000002
【特許請求の範囲】
【請求項１】
入力インターフェースにより、それぞれ文字を記述する複数の筆書き筆跡を順次入力する工程と、
前記筆書き筆跡のそれぞれ記述された文字の筆画の前記入力インターフェースにおける相対位置を順次識別する工程と、
各前記筆書き筆跡の前記入力インターフェースにおける相対位置に基づいて対応する文字のフォント特徴をそれぞれ決定し、前記フォント特徴が前記文字を構成する各筆画の相互間隔、交差又は接続位置及び筆画長さの特徴を少なくとも含む工程と、
前記対応する文字のフォント特徴により、パーソナライズ化フォント特徴を決定する工程と、
前記パーソナライズ化フォント特徴により新たなフォントファイルを生成する工程と、
を備えるパーソナライズ化手書きフォントを動的に生成する方法。
【請求項２】
前記パーソナライズ化フォント特徴により新たなフォントファイルを生成する工程は、
入力文字に対して、前記パーソナライズ化フォント特徴に基づいて前記入力文字のフォントを生成して前記新たなフォントファイルとすることを更に含む請求項１に記載の方法。
【請求項３】
前記パーソナライズ化フォント特徴により新たなフォントファイルを生成する工程は、
前記パーソナライズ化フォント特徴によりテンプレートフォントを調整することと、
前記調整済みのテンプレートフォントを前記新たなフォントファイルとすることと、を更に含む請求項１に記載の方法。
【請求項４】
前記パーソナライズ化フォント特徴により新たなフォントファイルを生成する工程は、
前記文字を構成する少なくとも１つの筆画を基本構成要素と定義することと、
前記文字の少なくとも１つの筆画を有する入力文字に対して、前記基本構成要素で前記入力文字の前記少なくとも１つの筆画を生成して前記新たなフォントファイルとすることと、を更に含む請求項１に記載の方法。
【請求項５】
前記新たなフォントファイルをウェブサービスアプリケーションプログラミングインターフェース（Ｗｅｂ Ｓｅｒｖｉｃｅ ＡＰＩ）に入れることと、
前記新たなフォントをインターネットインタフェースに定義することと、を更に含む請求項１に記載の方法。
【請求項６】
それぞれ文字を記述する複数の筆書き筆跡の入力を順次受信する入力インターフェースと、
前記筆書き筆跡のそれぞれ記述された文字の筆画の前記入力インターフェースにおける相対位置を順次識別する識別ユニットと、
各前記筆書き筆跡の前記入力インターフェースにおける相対位置に基づいて対応する文字のフォント特徴をそれぞれ分析し、前記フォント特徴が前記文字の各筆画の相互間隔、交差又は接続位置及び筆画長さの特徴を少なくとも含み、また、前記対応する文字のフォント特徴により、パーソナライズ化フォント特徴を決定する解析ユニットと、
前記パーソナライズ化フォント特徴により新たなフォントファイルを生成する調整ユニットと、
を備えるパーソナライズ化手書きフォントを動的に生成するシステム。
【請求項７】
前記入力インターフェースは、電磁式、静電容量式又は抵抗式のタッチパネルである請求項６に記載のシステム。
【請求項８】
前記パーソナライズ化フォント特徴を記憶するためのメモリを更に含む請求項６に記載のシステム。
【請求項９】
前記入力インターフェースと前記識別ユニットは携帯装置に設置され、前記解析ユニットと前記調整ユニットはリモートサーバーに設置される請求項６に記載のシステム。
【請求項１０】
前記パーソナライズ化フォント特徴により新たなフォントファイルを生成する調整ユニットは、
前記調整ユニットが前記パーソナライズ化フォント特徴によりテンプレートフォントを調整して前記新たなフォントファイルとすることを更に含む請求項６に記載のシステム。
【請求項１１】
前記パーソナライズ化フォント特徴により新たなフォントファイルを生成する調整ユニットは、
前記調整ユニットが入力文字に対して前記パーソナライズ化フォント特徴に基づいて前記入力文字のフォントを生成して前記新たなフォントファイルとすることを更に含む請求項６に記載のシステム。
【請求項１２】
前記パーソナライズ化フォント特徴により新たなフォントファイルを生成する調整ユニットは、
前記解析ユニットが前記文字を構成する少なくとも１つの筆画を基本構成要素と定義することを更に含み、
前記調整ユニットが前記文字の少なくとも１つの筆画を有する入力文字に対して、前記基本構成要素で前記入力文字の前記少なくとも１つの筆画を生成して前記新たなフォントファイルとすることを更に含む請求項６に記載のシステム。
【発明の詳細な説明】
【技術分野】
【０００１】
本発明は、文字作成システム及び方法に関し、特に、パーソナライズ化手書きフォントを動的に生成するシステム及び方法に関する。
【背景技術】
【０００２】
アジアの国で使用される符号化規格におけるキャラクター（文字）数については、中国台湾で使用されるＢｉｇ５規格は１３，０５３個の漢字を含み、中国大陸で使用されるＧＢ２３１２規格は６，７６３個の漢字を含み、ＧＢ１８０３０規格は２７，５３３個の漢字を含み、香港ではＢｉｇ５規格も使用するが、別に補足キャラクターセットに５，００９個のキャラクターが収録され、日本で使用されるＪＩＳｘ０２１３には１１，２３３個のキャラクターが収録される。更に、世界中のキャラクターを収録するためのＵｎｉｃｏｄｅ規格におけるキャラクター数もますます増えて、現在、Ｕｎｉｃｏｄｅ８．０には既に１２０，７３７個のキャラクターが含まれる。
【０００３】
これにより、人々に使用されるキャラクター数は、絶えず増加するようになることが分かる。デジタルシステムにおいて、これらのキャラクターを使用しようとすると、各個のキャラクターを作成して、各種の規格が定義されたキャラクターコードに、コードブック（ｃｏｄｅｂｏｏｋ）として記入しなければならない。
【発明の概要】
【発明が解決しようとする課題】
【０００４】
従来から、１つの完全なコードブックのフォントを作成する場合、一般的に数年の時間が必要である。上記問題を解決するために、それ以降、少数の筆画又は部首により全体のコードブックにおけるキャラクターを構成することにより、フォントの製作速度を速める筆画による文字作成、構成要素による文字作成等の形式が続々と登場してきた。これらの筆画による文字作成又は構成要素による文字作成の形式は、例えば明朝体、ゴシック体、丸ゴシック体、イタリック体等のような標準フォントに適用される。しかし、筆画、筆跡に所定の規則がない個性化手書きフォントに対しては、その機能を実現することができない。
【０００５】
使用者が個性化手書きフォントの要求に応じて、個性的なフォントを簡単に生成することができる好適な方法及びシステムが必要になる。
【課題を解決するための手段】
【０００６】
本発明の一態様は、入力インターフェースにより、それぞれ文字を記述する複数の筆書き筆跡を順次入力する工程と、これらの筆書き筆跡のそれぞれ記述された文字の筆画の前記入力インターフェースにおける相対位置を順次識別する工程と、これらの筆書き筆跡の前記入力インターフェースにおける相対位置に基づいて対応する文字のフォント特徴をそれぞれ決定し、前記フォント特徴が前記文字の各筆画の相互間隔、交差又は接続位置及び筆画長さの特徴を少なくとも含む工程と、これらの対応する文字のフォント特徴により、パーソナライズ化フォント特徴を決定する工程と、前記パーソナライズ化フォント特徴により新たなフォントファイルを生成する工程と、を備えるパーソナライズ化手書きフォントを動的に生成する方法を提供する。
【０００７】
一実施例において、前記パーソナライズ化フォント特徴により新たなフォントファイルを生成する工程は、入力文字に対して、前記パーソナライズ化フォント特徴に基づいて前記入力文字のフォントを生成して前記新たなフォントファイルとすることを更に含む。
【０００８】
一実施例において、前記パーソナライズ化フォント特徴により新たなフォントファイルを生成する工程は、前記パーソナライズ化フォント特徴によりテンプレートフォントを調整することと、前記調整済みのテンプレートフォントを前記新たなフォントファイルとすることと、を更に含む。
【０００９】
一実施例において、前記パーソナライズ化フォント特徴により新たなフォントファイルを生成する工程は、前記文字を構成する少なくとも１つの筆画を基本構成要素と定義することと、前記文字の少なくとも１つの筆画を有する入力文字に対して、前記基本構成要素で前記入力文字の前記少なくとも１つの筆画を生成して前記新たなフォントファイルとすることと、を更に含む。
【００１０】
一実施例において、前記新たなフォントファイルをウェブサービスアプリケーションプログラミングインターフェース（Ｗｅｂ  Ｓｅｒｖｉｃｅ  ＡＰＩ）に入れることと、前記新たなフォントをインターネットインタフェースに定義すること、とを更に含む。
【００１１】
本発明の他の態様は、それぞれ文字を記述する複数の筆書き筆跡の入力を順次受信する入力インターフェースと、前記筆書き筆跡のそれぞれ記述された文字の筆画の前記入力インターフェースにおける相対位置を順次識別する識別ユニットと、各前記筆書き筆跡の前記入力インターフェースにおける相対位置に基づいて対応する文字のフォント特徴をそれぞれ分析し、前記フォント特徴が前記文字の各筆画の相互間隔、交差又は接続位置及び筆画長さの特徴を少なくとも含み、また、これらの対応する文字のフォント特徴により、パーソナライズ化フォント特徴を決定する解析ユニットと、前記パーソナライズ化フォント特徴により新たなフォントファイルを生成する調整ユニットと、を備えるパーソナライズ化手書きフォントを動的に生成するシステムを提供することである。
【００１２】
一実施例において、入力インターフェースは、電磁式、静電容量式又は抵抗式のタッチパネルである。
【００１３】
一実施例において、前記パーソナライズ化フォント特徴を記憶するためのメモリを更に含む。
【００１４】
一実施例において、前記入力インターフェースと前記識別ユニットは携帯装置に設置され、前記解析ユニットと前記調整ユニットはリモートサーバーに設置される。
【００１５】
一実施例において、前記パーソナライズ化フォント特徴により新たなフォントファイルを生成する調整ユニットは、前記調整ユニットが前記パーソナライズ化フォント特徴によりテンプレートフォントを調整して前記新たなフォントファイルとすることを更に含む。
【００１６】
一実施例において、前記パーソナライズ化フォント特徴により新たなフォントファイルを生成する調整ユニットは、前記調整ユニットが入力文字に対して前記パーソナライズ化フォント特徴に基づいて前記入力文字のフォントを生成して前記新たなフォントファイルとすることを更に含む。
【００１７】
一実施例において、前記パーソナライズ化フォント特徴により新たなフォントファイルを生成する調整ユニットは、前記解析ユニットが前記文字を構成する少なくとも１つの筆画を基本構成要素と定義することを更に含み、前記調整ユニットが前記文字の少なくとも１つの筆画を有する入力文字に対して、前記基本構成要素で前記入力文字の前記少なくとも１つの筆画を生成して前記新たなフォントファイルとすることを更に含む。
【００１８】
以上のように、本発明のシステム及び方法により、各使用者はいずれも携帯装置により自分のパーソナライズ化フォントを編集し、且つそれをウェブページに表示させて、個人の独自性を表現することができる。
【図面の簡単な説明】
【００１９】
【図１Ａ】本発明の一実施例による手書き入力フォント特徴分析方法を行うフローチャートである。
【図１Ｂ】本発明の一実施例による手書き入力フォント特徴分析を実施するためのシステム図である。
【図２】本発明の一実施例による手書き入力フォント特徴を取得するための模式図である。
【図３】本発明の一実施例による個性化手書きフォントを動的に生成する方法のフローチャートである。
【図４】本発明の一実施例によるこの新たなフォントをネットワークに応用するフローチャートである。
【発明を実施するための形態】
【００２０】
下記は、本発明の態様をより良く理解するように、図面を参照して実施例を挙げて詳しく説明し、提供された実施例は、本発明に含まれる範囲を限定するものではなく、構造や動作についての記述も、その実行の手順を限定するためのものではなく、素子から新たに組み合わせてなる構造、その等価な効果を持つ装置であれば、いずれも本発明の範囲に含まれる。なお、当該技術分野の規格及び一般的なやり方のように、図面は補足説明のみを目的とし、原寸で図面を作るものではない。説明しやすくするために、実際に各種の特徴のサイズを任意に増加又は減少することができる。理解しやすくするために、下記説明において、同一の素子に同一の符号を付けて説明する。
【００２１】
全体の明細書と特許請求範囲に用いられる用語（ｔｅｒｍｓ）は、特に明記される以外、通常、用語ごとにこの分野、この開示の内容と特殊内容に使用される一般的な意味を持つ。当業者に本発明に関する記述における規定外の案内を提供するように、本発明を記述するためのある用語について、以下又はこの明細書の別所で検討する。
【００２２】
次に、本発明に使用される「含む」、「備える」、「有する」、「含有」等は、何れも開放性の用語であり、つまり、「含む」がそれに限定されないことを指す。なお、本発明に使用される「及び／又は」は、関連する列挙される項目の中の１つ又は複数の項目の中の任意の１つ及びそのすべての組合せを含む。
【００２３】
図１Ａは、本発明の一実施例による手書き入力フォント特徴分析方法のフローチャートである。図１Ｂは、手書き入力フォント特徴分析を実施するためのシステム図である。手書き入力フォント特徴分析は、実際にコンピュータプログラム製品（例えば、アプリケーションプログラム）として記憶媒体（例えば、リードオンリーメモリ、フラッシュメモリ、フロッピーディスク、ハードディスク、ＣＤ、フラッシュドライブ、磁気テープ、ネットワークでアクセス可能なデータベース又は当業者が容易に考えることができる同じ機能を有する記憶媒体）に記録されることができ、従って、コンピュータシステムが記憶媒体を読み取ってから手書き入力フォント特徴の分析流れを実行することができる。
【００２４】
説明しやすくするために、図１Ａ及び図１Ｂを同時に参照されたい。まず、工程１１１に示すように、入力インターフェース１２１により少なくとも１つの文字を記述する書き筆跡を入力する。そして、工程１１２に示すように、識別ユニット１２２により書き筆跡における各筆画位置を識別する。一実施例において、この入力インターフェース１２１は電磁式、静電容量式又は抵抗式のタッチパネルであり、使用者がスタイラス又は指でこの書き筆跡を入力することができる。使用者が入力インターフェース１２１で入力した書き筆跡は、識別ユニット１２２により入力時の移動軌跡及び対応する位置を電磁的記録として取得し記録することができる。この電磁的記録には、書き筆跡における各筆跡の入力インターフェース１２１における対応位置、長さ、及び筆跡間の角度等が記録されるが、これらに限定されない。一実施例において、入力インターフェース１２１は力センサを含むと、識別ユニット１２２は、力センサの検出値を更に取得して、入力書き筆跡の力の程度を記録する。図２は、使用者が入力インターフェース１２１で「永」の字を入力する書き筆跡である。この際、識別ユニット１２２は、使用者が入力インターフェース１２１で「永」の字を入力する時の移動軌跡及び対応する位置を電磁的記録として取得し記録する。一実施例において、この入力インターフェース１２１と識別ユニット１２２は、ネットワーキング装置１２０、例えば携帯装置上に共に設置することができる。識別ユニット１２２は、ソフトウェア形式又はハードウェア回路形式で達成される。識別ユニット１２２は、識別ソフトウェアであり、メモリ１２３に記憶させることができ、識別する時に、ネットワーキング装置１２０のプロセッサ１２４がメモリ１２３における識別ユニット１２２による入力筆跡における各筆画の位置、長さ、及び筆画間の角度等に対する識別を実行させる。その後、ネットワーキング装置１２０はこの電磁的記録を無線又は有線伝送でリモートサーバー１３０に伝送して後の解析及び処理を行う。
【００２５】
次に工程１１３において、電磁的記録により、入力されたフォント特徴を解析する。一実施例において、リモートサーバー１３０は、ネットワーキング装置１２０で伝送された電磁的記録を受信した後、リモートサーバー１３０における解析ユニット１３１でこの電磁的記録を解析することにより、その中から記録された各入力筆跡の各筆画の位置を取得し、それにより、筆画の相互間隔、交差又は接続位置及び筆画長さ等の特徴を含む使用者の入力筆跡の構造特徴を分析する。例えば、使用者が図２に示す「永」の字を入力すると、解析ユニット１３１は、電磁的記録を解析することにより「永」の字を構成する各筆画の入力インターフェース１２１における対応位置を取得することができ、各筆画の相対位置を分析することにより、「永」の字を構成する各筆画（基本構成要素）、各筆画間の相互間隔、筆画間の交差又は接続位置、接続角度及び筆画長さ等の特徴を取得することができる。解析ユニット１３１は、「永」の字を構成する少なくとも１つの筆画を後の応用のための基本構成要素と定義することができ、それを後の段落で解釈する。例えば、「永」の字の、図２領域２００における各筆画間の相互間隔特徴、領域２０１における筆画の傾斜角度特徴、領域２０２における筆画末端部の傾斜角度特徴、領域２０３における筆画末端部の傾斜角度特徴、領域２０４における筆画の鉤の角度特徴等を取得することができ、得られるフォント特徴は以上に限定されず、使用者は要求に応じて他のフォント特徴を取得し、且つこの入力フォントの特徴をメモリ１３３に記録することができる。一実施例において、この解析ユニット１３１は、メモリ１３３に記憶されたアプリケーションプログラムであり、リモートサーバー１３０のマイクロプロセッサ（未図示）により入力されたフォント特徴の解析を実行する。
【００２６】
次に工程１１４において、使用者が入力インターフェース１２１により再度書き筆跡を入力するかどうかを判断する。使用者が書き筆跡を再度入力すると、工程１１１〜１１３を繰り返して、この書き筆跡の特徴を取得し、且つこの書き筆跡の特徴をメモリ１３３に記録する。逆に、使用者が書き筆跡を再度入力しないと、工程１１５を実行し、記録された各書き筆跡特徴によりパーソナライズ化フォント特徴をまとめる。例えば、使用者が傾斜筆画を書く時の書き角度を平均化し、使用者が傾斜筆画を書く時の書き角度のパーソナライズ化フォント特徴として、使用者が２つの筆画を書く時の筆画間隔を平均化し、使用者が２つの筆画を書く時、筆画間隔のパーソナライズ化フォント特徴として、使用者が鉤の筆画を書く時の角度を平均化し、使用者が鉤の筆画を書く時の角度のパーソナライズ化フォント特徴等とする。パーソナライズ化フォント特徴を取得した後、その後の応用には、このパーソナライズ化フォント特徴に基づいて、調整ユニット１３２により使用者が入力した字を調整することにより、最終に示す字がこのパーソナライズ化フォント特徴を有し、又は、既存フォント（テンプレートフォント）におけるすべての字を調整し、例えば１つの既存フォントにおける字の傾斜筆画角度及び２つの筆画間隔距離をこのパーソナライズ化フォント特徴に基づいて調整し、最後に工程１１６でパーソナライズ化フォントファイルを生成する。これによって、使用者が後で字を入力する時、このパーソナライズ化フォントファイルに基づいてこの字のフォントを生成する。一実施例において、この調整ユニット１３２は、メモリ１３３に記憶されたアプリケーションプログラムであり、リモートサーバー１３０のマイクロプロセッサ（未図示）で実行され、パーソナライズ化フォント特徴により入力された文字を調整する。
【００２７】
図３は、本発明の一実施例による個性化手書きフォントを動的に生成する方法のフローチャートである。本発明は、使用者の選択に供する３種類の個性化手書きフォントを生成する方法を提供して、パーソナライズ化フォント特徴を有する新たなフォントを生成する。直接に使用者が入力した文字により個性化フォントを生成する工程３１０と、使用者の入力したフォント構成要素により個性化フォントを生成する工程３２０と、既存フォントを組み合わせて個性化フォントを生成する工程３３０と、を含む。直接に使用者が入力した文字により個性化フォントを生成する工程３１０は、完全に使用者が入力したフォントにより対応する個性化手書きフォントを生成し、このため、工程３１１において、まず、個性化手書きフォントを作成しようとするフォントデータを入力し、例えば、文字コードの配列により、対応するフォントを順次入力し、且つこのフォントデータをリモートサーバー１３０にアップロードすることができる。次に工程３１２において、入力されたフォントデータによりフォントファイルを生成し、且つリモートサーバー１３０のメモリ１３３に記憶される。これによって、使用者は後で同じフォントを入力する時、メモリ１３３から対応するフォントを取得して、個人の個性化フォントとすることができる。且つ工程３４０において、この個性化フォントを新たなフォントファイルとする。
【００２８】
使用者の入力したフォント構成要素により個性化フォントを生成する工程３２０は、漢字が幾つかの基本構成要素から組み合わせられるので、例えば、「仙」の字は「
2017078854.tif 000003
」及び「山」の２つの基本構成要素から組み合わせられるが、この２つの基本構成要素「
2017078854.tif 000004
」と「山」が他の字にもよく使用される。例えば、「
2017078854.tif 000005
」と「他」の２つの字のいずれも「
2017078854.tif 000006
」の基本構成要素が利用され、「岩」にも「山」の基本構成要素が利用される。このため、使用者が「仙」の字を入力したことがあると、システムによりこの２つの基本構成要素「
2017078854.tif 000007
」及び「山」をリモートサーバー１３０のメモリ１３３に記憶する。これによって、使用者は後で入力したフォントに「
2017078854.tif 000008
」及び「山」の２つの基本構成要素を使用する時、メモリ１３３から記憶されたフォントを取得して、使用者が書いた「
2017078854.tif 000009
」及び「山」の形と交換させて、パーソナライズ化フォント特徴を有する新たなフォントを生成する。システムはパーソナライズ化フォント特徴を有する新たなフォントを生成するような十分な基本構成要素を有するために、工程３２１において、使用者は一定数の代表字を入力して異なるフォントを生成する時に必要な基本構成要素を取得する必要がある。入力された代表字数及び代表字の種類は使用者自身により決定される。一般的には、入力された代表字の数が多いほど、得られた基本構成要素も多くなる。これらの基本構成要素はリモートサーバー１３０のメモリ１３３に記憶される。次に工程３２２において、これらの基本構成要素の組合せによりフォントを生成する。即ち、使用者は、後で字を入力する時、これらの基本構成要素の組み合わせにより使用者の入力した文字のフォントを生成し、それにより、入力フォントが使用者の個性化のフォントを有するようになる。且つ工程３４０においてこの個性化フォントを新たなフォントファイルとする。注意すべきなのは、工程３２１において異なるフォントを生成する時に必要な基本構成要素を取得するには、図１Ａに示す手書き入力フォント特徴分析のフローを行うことにより入力文字を組み合わせる各筆画を取得し、これにより、この字のフォントの少なくとも１つの筆画を取得して基本構成要素とし、同時に各筆画間の相互間隔、交差又は接続位置及び筆画長さ等の特徴によりパーソナライズ化フォント特徴を取得し、且つこの特徴によりこれらの基本構成要素を調整することを更に含む。
【００２９】
既存フォントを組み合わせて個性化フォントを生成する工程３３０は、使用者の入力行為を分析することによりパーソナライズ化フォント特徴をまとめ、且つこのフォント特徴に基づいて既存フォントを調整して使用者の個性化フォントを生成する。このため、工程３３１において、使用者は、まず形成しようとするタイプのフォントを選択する必要があり、即ち既存フォントから１つのタイプのフォントを選択し、例えば、既存の標準的なイタリック体又は細明朝体から一つを選択する。その後、まとめられたパーソナライズ化フォント特徴により、選択されたタイプのフォントを調整して、パーソナライズ化特徴を有する既存フォントを取得することができる。選択されたタイプフォントに対してパーソナライズ化特徴の調整を行うために、工程３３２において、主に入力された字を利用して図１Ａに示す手書き入力フォント特徴分析を行うフローにより、パーソナライズ化フォント特徴を取得する。この工程において使用者の入力したフォントの筆画の相互間隔、交差又は接続位置及び筆画長さ等の特徴を含む筆跡特徴を分析し、且つこのフォントの特徴をリモートサーバー１３０のメモリ１３３に記録する。すべての入力フォントの分析を完成した後、このメモリ１３３に記録された各フォント特徴に基づいてパーソナライズ化フォント特徴をまとめ、且つ工程３３３においてこのフォント特徴に基づいて選択された既存フォントを調整することにより、使用者の特性に合わせるように、既存フォントに使用者のパーソナライズ化フォント特徴を持たせる。且つ工程３４０においてこの個性化フォントを新たなフォントファイルとする。
【００３０】
新たなフォントファイルを生成した後、ネットワークによりこの新たなフォントを応用することができる。図４は、本発明の一実施例でありこの新たなフォントをネットワークに応用するフローチャートである。このフロー４００において、まず工程４１０で、この新たなフォントがウェブページフォントであるかどうかを判断する。新たなフォントがウェブページフォントであると、工程４２０において、この新たなフォントをウェブサービスアプリケーションプログラミングインターフェース（Ｗｅｂ  Ｓｅｒｖｉｃｅ  ＡＰＩ）に入れることができる。そして工程４３０において、インターネットインタフェースにより、この新たなフォントを定義する。逆に、新たなフォントがウェブページフォントではない場合は、工程４４０において、この新たなフォントファイルをダウンロードして後の応用を行う必要がある。そして工程４５０において、この流れを終了する。これによって、ウェブページでもＡＰＰ（アプリケーションプログラム）でも、プラットフォームに新たなフォントをインストールしたかどうかに関わらず、いずれも使用者により製作された新たなフォントを表示して、使用者のパーソナライズ化フォント特徴を有するウェブページを表示することができる。
【００３１】
以上のように、本発明に係るシステム及び方法により、各使用者は、いずれも携帯装置により自己のパーソナライズ化フォントを編集し、且つそれをウェブページに表示して、個人の独創性を示すことができる。
【００３２】
本発明では、実施形態及び実施例を前述の通りに開示したが、これは本発明を限定するものではなく、当業者なら誰でも、本発明の精神と領域から逸脱しない限り、多様な変更や修正を加えることができる。従って、本発明の保護範囲は、後の特許請求の範囲で指定した内容を基準とする。
【符号の説明】
【００３３】
１１１〜１１６、３１０〜３４０、４１０〜４５０  工程
１２０  ネットワーキング装置
１２１  入力インターフェース
１２２  識別ユニット
１２３、１３３  メモリ
１２４  プロセッサ
１３０  リモートサーバー
１３１  解析ユニット
１３２  調整ユニット
２００、２０１、２０２、２０３、２０４  領域
４００  フロー
【図１Ａ】
2017078854.tif 000010
【図１Ｂ】
2017078854.tif 000011
【図２】
2017078854.tif 000012
【図３】
2017078854.tif 000013
【図４】
2017078854.tif 000014